(57)【要約】【課題】本発明は、たとえスピーカーから聴取位置までの距離が変化したとしても、聴き取られる音質の劣化を防止することができる携帯電話装置を提供する。【解決手段】本発明に係る携帯電話装置１は、デジタルフィルター１８を備えている。デジタルフィルター１８は、第一の補正係数Ｈ１および第二の補正係数Ｈ２を少なくとも記憶している。さらに、デジタルフィルター１８は、第一の補正係数Ｈ１および第二の補正係数Ｈ２の何れか一方の補正係数に基づいて、入力デジタル信号を補正する。ここで、第一の補正係数Ｈ１は、スピーカー２１から第一の距離だけ離れた聴取位置２５ａでの音響特性を含む第一の伝達特性から決定される係数である。第二の補正係数Ｈ２は、スピーカー２１から第一の距離より大きい第二の距離だけ離れた聴取位置２５ｂでの音響特性を含む第二の伝達特性から決定される係数である。【選択図】  図５
2009049620.tif 000002
【特許請求の範囲】
【請求項１】
通話機能および音声データの再生出力機能を有する携帯電話装置において、
音声を出力するスピーカーと、
第一の補正係数および第二の補正係数を記憶しており、前記第一の補正係数および前記第二の補正係数の何れか一方の補正係数に基づいて、入力デジタル信号を補正するデジタルフィルターと、
前記デジタルフィルターから出力される出力デジタル信号をアナログ信号に変換し、当該アナログ信号を前記スピーカーに向けて出力するＤ／Ａ変換部とを、備えており、
前記第一の補正係数は、
前記スピーカーから第一の距離だけ離れた聴取位置での音響特性を含む第一の伝達特性から決定される係数であり、
前記第二の補正係数は、
前記スピーカーから前記第一の距離より大きい第二の距離だけ離れた聴取位置での音響特性を含む第二の伝達特性から決定される係数である、
ことを特徴とする携帯電話装置。
【請求項２】
前記第一の伝達特性および前記第二の伝達特性の各々は、
前記スピーカーに起因した音響特性および前記携帯電話装置に起因した音響特性を、さらに含んでおり、
前記第一の補正係数は、
前記第一の伝達特性の逆特性であり、
前記第二の補正係数は、
前記第二の伝達特性の逆特性である、
ことを特徴とする請求項１に記載の携帯電話装置。
【請求項３】
前記入力デジタル信号が、通話音から成る場合には、
前記デジタルフィルターは、
第一の補正係数に基づいて、前記入力デジタル信号を補正する、
ことを特徴とする請求項１に記載の携帯電話装置。
【請求項４】
前記入力デジタル信号が、所定のコンテンツの再生音から成る場合には、
前記デジタルフィルターは、
第二の補正係数に基づいて、前記入力デジタル信号を補正する、
ことを特徴とする請求項１に記載の携帯電話装置。
【請求項５】
前記第一の補正係数は、
前記スピーカーをユーザの耳に接触させたときの音響特性を含む前記第一の伝達特性から決定される係数である、
ことを特徴とする請求項１に記載の携帯電話装置。
【請求項６】
外部からの操作が可能な選択スイッチを、さらに備えており、
前記デジタルフィルターは、
前記選択スイッチに対する操作に応じて、前記第一の補正係数に基づく補正または前記第二の補正係数に基づく補正を行う、
ことを特徴とする請求項１に記載の携帯電話装置。
【請求項７】
外部からの前記携帯電話装置への接触状態を感知することができる接触センサーを、さらに備えており、
前記デジタルフィルターは、
前記接触センサーの感知結果に応じて、前記第一の補正係数に基づく補正または前記第二の補正係数に基づく補正を行う、
ことを特徴とする請求項１に記載の携帯電話装置。
【発明の詳細な説明】
【技術分野】
【０００１】
この発明は、携帯電話装置に係る発明であり、たとえば、受話音と音楽等の再生音とを同一スピーカーで出力することができる携帯電話装置に適用することができる。
【背景技術】
【０００２】
携帯電話装置では、通常の通話の電話機能のみならず、デジタルカメラやインターネット、電子メール等、多種の機能が搭載されている。他方で、携帯電話装置本体の小型、薄型化も進んでいる。さらに、近年の携帯電話装置では、通信の高速化や、蓄積メディアの小型化、大容量化、およびファイル処理の高速化が加速しており、大容量の音楽や映像メディアのファイルを扱う処理も可能となった。
【０００３】
このような携帯電話装置では、たとえば、インターネットやパーソナルコンピュータを介した音楽ファイルや動画ファイルのダウンロード、ダウンロードした各ファイルの保存を行うことができる。そして、ユーザは、当該携帯電話装置を用いて、当該音楽ファイルや動画ファイルを必要に応じて再生することができる。また、保存された音楽ファイルを着信音として使用することも一般的である。
【０００４】
地上デジタル放送の整備に伴い、携帯電話装置はワンセグ放送等の受信が可能となり、当該携帯電話装置を介したＴＶ放送の視聴も可能となっている。また、デジタルラジオ放送を、携帯電話装置を用いて聴くこともできる。
【０００５】
また、携帯電話装置を電車内等で使用する場合には、サイレントモードに切り替えることがマナーとして求められる。他方、自宅等の個人的な空間では、適度な音量をもって音声データが再生される。また、近年の携帯電話装置では、受話器を耳元に近づけずに、通話することができるハンズフリー機能も搭載されている。
【０００６】
携帯電話装置に搭載されるスピーカーは、通常、耳元に近づけて音を聴くことを目的として設計されている（つまり、当該スピーカーは、通話音の出力に特化している）。当該目的に特化した音響性能を有するスピーカーを介して、着信音、動画ファイル、音楽ファイル等の高音質の再生音を離れた場所から再生した場合には、当該再生音は、不十分な音量、劣化した音質となる。したがって、上記通話音・再生音を共に高品質に聴き取ることができるように、従来の携帯電話装置は、それぞれの目的に特化したスピーカーが別個独立に設けられていた。
【０００７】
ところが、特許文献１では、通話用のスピーカーに対して通話以外の専用スピーカーを別に設けず、通話用のスピーカーと音楽再生用のスピーカーとを共用する技術が開示されている。
【０００８】
特許文献１に係る携帯電話装置では、通話音を再生するレシーバと、通話音以外の着信音を再生するスピーカーを単一の発音体で共用出来ることが開示されている。さらに、各々の音を聴きやすくするために、通話音再生時の再生周波数特性と着信音再生時の再生周波数特性を確保できることが開示されている。
【０００９】
【特許文献１】特開２００６−５４６９３号公報
【発明の開示】
【発明が解決しようとする課題】
【００１０】
一般的に、スピーカーの構造・材質等（スピーカーの取り付け構造、音を通すための開口部の構造等も含む）に起因した第一の音響特性、携帯電話装置の構造・材質等に起因した第二の音響特性、およびスピーカーから聴取位置までの距離に起因した第三の音響特性等から、スピーカーから出力される伝達特性は変化する。そして、当該伝達特性が変化すると、聴き取られる音質に大きな影響が及ぼされる。ここで、同一の携帯電話装置を用いている場合には、第一の音響特性および第二の音響特性は変化しない。よって、当該場合には、伝達特性は、第三の音響特性にのみに起因して変化する。
【００１１】
よって、特許文献１に係る技術のように、各々の再生形式に合わせて再生周波数帯域を確保したとしても、スピーカーから聴取位置までの距離が変化することにより伝達特性が変化するので、音質が大きく変化・劣化してしまう。
【００１２】
そこで、本発明は、たとえスピーカーから聴取位置までの距離が変化したとしても、聴き取られる音質の劣化を防止することができる携帯電話装置を提供することを目的とする。
【課題を解決するための手段】
【００１３】
上記の目的を達成するために、本発明に係る請求項１に記載の携帯電話装置は、通話機能および音声データの再生出力機能を有する携帯電話装置において、音声を出力するスピーカーと、第一の補正係数および第二の補正係数を記憶しており、前記第一の補正係数および前記第二の補正係数の何れか一方の補正係数に基づいて、入力デジタル信号を補正するデジタルフィルターと、前記デジタルフィルターから出力される出力デジタル信号をアナログ信号に変換し、当該アナログ信号を前記スピーカーに向けて出力するＤ／Ａ変換部とを、備えており、前記第一の補正係数は、前記スピーカーから第一の距離だけ離れた聴取位置での音響特性を含む第一の伝達特性から決定される係数であり、前記第二の補正係数は、前記スピーカーから前記第一の距離より大きい第二の距離だけ離れた聴取位置での音響特性を含む第二の伝達特性から決定される係数である。
【発明の効果】
【００１４】
本発明の請求項１に記載の携帯電話装置では、デジタルフィルターは、第一の補正係数および第二の補正係数を記憶しており、第一の補正係数および第二の補正係数の何れか一方の補正係数に基づいて、入力デジタル信号を補正する。ここで、第一の補正係数は、スピーカーから第一の距離だけ離れた聴取位置での音響特性を含む第一の伝達特性から決定され、第二の補正係数は、スピーカーから第一の距離より大きい第二の距離だけ離れた聴取位置での音響特性を含む第二の伝達特性から決定される。
【００１５】
したがって、スピーカーから聴取位置までの距離に応じて、複数の補正係数の中から適切な一の補正係数を選択することにより、たとえスピーカーから聴取位置までの距離が変化したとしても、聴き取られる音質の劣化を防止することができる。
【発明を実施するための最良の形態】
【００１６】
以下、この発明をその実施の形態を示す図面に基づいて具体的に説明する。
【００１７】
＜実施の形態１＞
図１は、本実施の形態に係る携帯電話装置１内部の概略回路構成を示すブロック図である。当該携帯電話装置１は、通話機能および音楽等の音声データの再生出力機能等を有している。
【００１８】
携帯電話装置１を用いた通話の場合には、アンテナ２および無線回路３を通して、電話通話信号の送受信が行われる。
【００１９】
マイク４により入力されたアナログ信号は、Ａ／Ｄ変換部５でデジタル信号に変換される。その後、エンコーダー６において、Ａ／Ｄ変換部５で変換されたデジタル信号の符号化が行われる。その後、符号化された信号は無線回路３を経て、送話音信号としてアンテナ２を介して送信される。なお、アンテナ２で受信し、無線回路３を経た受話信号は、デコーダー７において、デジタル信号化処理が行われる。
【００２０】
一方、テレビ放送受信機能では、テレビ放送用の受信アンテナ８より電波を入力して、チューナー９で放送を選択する。そして、デマルチプレクサ１０では、入力された信号を、音声信号と映像信号とに分離する。ここで、携帯電話装置内１にテレビ放送データを保存する場合には、当該テレビ放送データは、メモリカードコントローラー１１を介して、メモリカード１２に保存される。
【００２１】
また、ＡＶセレクター１３でテレビ放送の受信が指定された場合には、デマルチプレクサ１０からＡＶセレクター１３を経由して、映像信号はビデオデコーダー１４へ伝達され、音声信号はオーディオデコーダー１５へと伝達される。なお、メモリカード１２に保存されたテレビ放送データを再生する場合には、メモリカード１２から、メモリカードコントローラー１１およびＡＶセレクター１３を経由して、映像信号はビデオデコーダー１４へ伝達され、音声信号はオーディオデコーダー１５へ伝達される。
【００２２】
映像信号は、ビデオデコーダー１４でデジタル信号化され、その後、ビデオエンコーダー１６において表示のための符号化が行われる。当該符号化が行われた信号は、ディスプレイ部１７において映像として表示される。
【００２３】
音声信号は、オーディオデコーダー１５においてデジタル信号化される。その後、非巡回型デジタルフィルター１８において、当該デジタル信号化された信号（入力デジタル信号と把握できる）の音質の補正が行われる。当該音質の補正がなされたデジタル信号（出力デジタル信号と把握できる）は、Ｄ／Ａ変換部１９においてアナログ信号化される。そして、アナログ信号化された信号は、アンプ手段となる増幅器２０を通して、スピーカー２１から音声として出力される。
【００２４】
メモリカード１２に蓄積された音楽ファイルも、メモリカードコントローラー１１およびＡＶセレクター１３を経由して、オーディオデコーダー１５に伝達される。その後、当該音楽ファイルは、非巡回型デジタルフィルター１８において音質の補正が行われる。たとえば、携帯電話装置１で着信があった場合には、メモリカード１２に蓄積された所定の音楽ファイルを選択する。そして、選択した音楽ファイルを、回路１１，１３，１５，１８〜２０を経由されることにより、スピーカー２１から着信を知らせる所定の音楽が出力される。
【００２５】
なお、通話機能作動時に受信した受話音については、デコーダー７で受話音がデジタル信号化されて、当該デジタル信号化された信号は、非巡回型デジタルフィルター１８に伝達される。そして、上記同様、非巡回型デジタルフィルター１８において音質の補正が行われ後、回路１９，２０を経由して、受話音がスピーカー２１から出力される。
【００２６】
以下の説明では、携帯電話の受話音を通話音と称する。これに対して、当該通話音以外の音声（音楽データ、テレビ放送の音声データ等）を総じて、再生音と称することとする。
【００２７】
図２は、非巡回型デジタルフィルター１８で行われる補正の効果を説明するための図である。図２の（Ａ)、(Ｂ)、(Ｃ)のグラフにおいて、横軸は周波数（Ｈｚ）を示し、縦軸は音圧値（ｄＢ）を示している。
【００２８】
ここで、図２の(Ａ)は、非巡回型デジタルフィルター１８で補正を行わない状態、もしくは非巡回型デジタルフィルター１８を搭載しない状態で測定した、伝達特性図である。図２の（Ｂ）は、非巡回型デジタルフィルター１８における図２の（Ａ）の伝達特性に対する補正の際に用いられる、補正係数の特性図である。図２の（Ｂ）は、図２の（Ａ）の逆特性として設定される。図２の(Ｃ)は、図２の（Ａ）に対して、図２の（Ｂ）に示した補正係数を用いた補正を行った後に測定した伝達特性図である。
【００２９】
非巡回型デジタルフィルター１８では、音声デジタル信号（オーディオ信号）に対して、伝達特性の逆特性としての補正係数を用いた畳み込み処理を行う補正を行っている。たとえば、図２の（Ａ)の伝達特性に対して、音圧の高い部分は低い方へ、音圧の低い方は高い方へと補正することができる補正係数（図２の（Ａ）の特性に対する逆特性としての補正係数であり、たとえば図２の（Ｂ））が補正の際に用いられる。これにより、図２の（Ｃ）に示されるように、可聴の周波数範囲においては音圧値がフラットとなるような補正が行われる。
【００３０】
以上の様に、非巡回型デジタルフィルター１８で使用される補正係数は、補正される伝達特性の逆特性である。非巡回型デジタルフィルター１８に入力された入力デジタル信号に対して当該補正係数を加える。これにより、音質の補正が行われる。ここで使用する、非巡回型デジタルフィルター１８は、演算装置としてＤＳＰ「Ｄｉｇｉｔａｌ  Ｓｉｇｎａｌ  Ｐｒｏｃｅｓｓｏｒ」化されており、伝達特性の逆特性としての係数が入力される。
【００３１】
図３は、非巡回型デジタルフィルター１８内の概略構成を示すブロック図である。図３に示すように、非巡回型デジタルフィルター１８は、適応型ＦＩＲ（Ｆｉｎｉｔｅ Ｉｍｐｕｌｓｅ Ｒｅｓｐｏｎｓｅ：有限パルス応答）デジタルフィルター４５と、複数種類の補正係数が記憶されている記憶部４６とから構成されている。スピーカー２１から聴取位置までの距離を変化させた場合の伝播特性を各々測定しておき、当該各伝播特性の逆特性を補正係数として記憶部４６に各々記憶しておく。非巡回型デジタルフィルター１８は、入力デジタル信号（オーディオ信号）４７に対して所望の補正係数を記憶部４６から選択する。そして、適応型ＦＩＲデジタルフィルター４５において、選択した補正係数を用いた補正処理を入力デジタル信号４７に対して実施する。これにより、非巡回型デジタルフィルター１８からは、音質補正がなされた出力デジタル信号４８が出力される。
【００３２】
非巡回型デジタルフィルター１８の記憶部４６は、上記のように、複数の補正係数を記憶している。そして、入力デジタル信号４７の補正の際に、適宜所望の補正係数が１つだけ選択される。したがって、スピーカー２１から聴取位置までの距離を変化させた場合でも、出力される聴き取られる音声の音質を保証することができる。
【００３３】
図４は、上記記憶部４６に記憶される補正係数を設定する方法を説明するための図である。なお、記憶部４６には、各聴取位置に対応して複数の補正係数（少なくとも２以上の補正係数）が記憶される。しかし、下記の説明では、説明簡略化のため、二つの補正係数を設定する場合について話を進める。
【００３４】
携帯電話装置１の内部にはスピーカー２１が配設されている。スピーカー２１の音を出力するために、携帯電話装置１には開放穴２１ａが設けられている。ここで、本発明では、開放穴２１ａもスピーカー２１の構成要素の一部であるとする。スピーカー２１の前面には聴取位置２５ａ，２５ｂが各々設定されている。聴取位置２５ａは、携帯電話装置１を耳に近づけた場合を想定した位置であり、スピーカー２１（開放穴２１ａ）と聴取位置２５ａまでの距離は１ｃｍとする。また、聴取位置２５ｂは、携帯電話装置１を遠ざけた場合を想定した位置で、スピーカー２１（開放穴２１ａ）と聴取位置２５ｂまでの距離は１ｍとする。
【００３５】
聴取位置２５ａにおいて、補正前の伝達特性（第一の伝播特性と称する）を測定する。第一の伝達特性は、スピーカー２１に起因した第一の音響特性（スピーカー２１自体の音響特性Ｅ１、開放穴２１ａの影響による音響特性Ｅ３）、携帯電話装置１に起因した第二の音響特性（携帯電話装置１の構造による音響特性Ｅ２）、およびスピーカー２１から第一の距離だけ離れた聴取位置（聴取位置２５ａまでの距離：１ｃｍ）での第三の音響特性Ｅ４を含んでいる（図４）。当該第一の伝播特性の逆特性を、第一の補正係数Ｈ１と決定する。当該記載から分かるように、第一の補正係数Ｈ１は、スピーカー２１から上記第一の距離だけ離れた聴取位置２５ａでの第三の音響特性Ｅ４を含む第一の伝達特性から決定される係数である。
【００３６】
聴取位置２５ｂにおいて、補正前の伝達特性（第二の伝播特性と称する）を測定する。第二の伝達特性は、スピーカー２１に起因した第一の音響特性（スピーカー２１自体の音響特性Ｅ１、開放穴２１ａの影響による音響特性Ｅ３）、携帯電話装置１に起因した第二の音響特性（携帯電話装置１の構造による音響特性Ｅ２）、およびスピーカー２１から第二の距離だけ離れた聴取位置（聴取位置２５ｂまでの距離：１ｍ）での第四の音響特性Ｅ５を含んでいる（図４）。当該第二の伝播特性の逆特性を、第二の補正係数Ｈ２と決定する。当該記載から分かるように、第二の補正係数Ｈ２は、スピーカー２１から上記第二の距離だけ離れた聴取位置２５ｂでの第四の音響特性Ｅ５を含む第二の伝達特性から決定される係数である。
【００３７】
上記より、第一の補正係数Ｈ１は、携帯電話装置１を耳に近づけて聴取した場合の音質補正係数であり、第二の補正係数Ｈ２は、携帯電話装置１から離れて聴取した場合の補正係数であると理解できる。
【００３８】
図５は、非巡回型デジタルフィルター１８において、第一の補正係数Ｈ１または第二の補正係数Ｈ２が選択される様子を示す概念図である。
【００３９】
上記でも説明したように、図５に示す構成では、非巡回型デジタルフィルター１８は、通話音を出力するためにデコーダー７から入力デジタル信号を受けると共に、再生音を出力するためにオーディオデコーダー１５からも入力デジタル信号を受ける。そして、非巡回型デジタルフィルター１８におけるデジタル補正がなされた後は、補正後の出力デジタル信号は、Ｄ／Ａ変換部１９に向けて出力される。その後、Ｄ／Ａ変換部１９において、出力デジタル信号はアナログの音声信号に変換される。
【００４０】
非巡回型デジタルフィルター１８の内部には、第一の補正係数Ｈ１および第二の補正係数Ｈ２が記憶されている。そして、非巡回型デジタルフィルター１８は、第一の補正係数Ｈ１および第二の補正係数Ｈ２の何れか一方の補正係数に基づいて、入力デジタル信号をデジタル補正する。
【００４１】
図５に示すように、本実施の形態では、入力デジタル信号が通話音から成る場合には、非巡回型デジタルフィルター１８は、第一の補正係数Ｈ１を選択し、当該第一の補正係数Ｈ１に基づいて入力デジタル信号（通話音）を補正する。これに対して、入力デジタル信号が所定のコンテンツの再生音から成る場合には、非巡回型デジタルフィルター１８は、第二の補正係数Ｈ２を選択し、当該第二の補正係数Ｈ２に基づいて入力デジタル信号（再生音）を補正する。
【００４２】
以上のように、本実施の形態に係る携帯電話装置１では、非巡回型デジタルフィルター１８は、第一の補正係数Ｈ１および第二の補正係数Ｈ２を少なくとも（複数の補正係数を）記憶している。そして、非巡回型デジタルフィルター１８は、第一の補正係数Ｈ１および第二の補正係数Ｈ２の何れか一方の補正係数（複数の補正係数から選択される一の補正係数）に基づいて、入力デジタル信号を補正している。
【００４３】
したがって、スピーカー２１から聴取位置２５ａ，２５ｂまでの距離に応じて、複数の補正係数Ｈ１，Ｈ２の中から適切な一の補正係数を選択することにより、たとえスピーカー２１から聴取位置２５ａ，２５ｂまでの距離が変化したとしても、聴き取られる音質の劣化を防止することができる。
【００４４】
たとえば、図４，５のケースにおいて、電話の通話音を聴く場合には、第一の補正係数Ｈ１が選択される。そして、非巡回型デジタルフィルター１８では、第一の補正係数Ｈ１を用いた入力デジタル信号（通話音）の補正（音質補正）が行われる。したがって、当該補正により、携帯電話装置１を耳に近づけて使用した場合には、スピーカー２１からは最適な音質の通話音が出力される。なお、通話音を聴く場合には、多くの場合ユーザは耳に携帯電話装置１を近づける。
【００４５】
また、スピーカー２１を通して音楽等の再生音を聴く場合には、第二の補正係数Ｈ２が選択される。そして、非巡回型デジタルフィルター１８では、第二の補正係数Ｈ２を用いた入力デジタル信号（再生音）の補正（音質補正）が行われる。したがって、当該補正により、携帯電話装置１を耳から遠ざけて使用した場合には、スピーカー２１からは最適な音質の再生音が出力される。なお、再生音を聴く場合には、多くの場合ユーザは耳から携帯電話装置１を遠ざける。
【００４６】
また、各伝達特性は、上記第三、四の音響特性の他に、上記第一の音響特性および上記第二の音響特性も含んでいる。そして、第一の補正係数Ｈ１は、上記第一の伝達特性の逆特性として決定され、記憶部４６に記憶される。また、第二の補正係数Ｈ２は、上記第二の伝達特性の逆特性として決定され、記憶部４６に記憶される。
【００４７】
したがって、上記補正係数Ｈ１，Ｈ２を記憶部４６に記憶させることにより、携帯電話装置１の構造、スピーカー２１の構造等が変化したとしても、これらの変化に対応した音質補正を非巡回型デジタルフィルター１８にて実施することができる。つまり、補正係数Ｈ１，Ｈ２の精度を向上させることができ、また本発明に係る携帯電話装置１の異なる機種への汎用性が向上する。
【００４８】
＜実施の形態２＞
携帯電話装置１で受話を聴く場合の多くは、携帯電話装置１（スピーカー２１を構成する開放穴２１ａ）を耳に押し当てた状態で、当該携帯電話装置１を使用する。このように、携帯電話装置１を耳に密着させた状態では、携帯電話装置１とユーザの外耳との間において空間が形成される。当該空間内における伝達特性は、自由空間（図４のケース）における伝達特性とは異なる。
【００４９】
図６は、携帯電話装置１のスピーカー２１（開放穴２１ａ）に耳を押し付けた場合の伝播特性４４を示すグラフである。図６において、横軸は周波数（Ｈｚ）であり、縦軸は音圧値（ｄＢ）である。なお、図６には、スピーカー２１から５０ｃｍ離れた聴取位置において測定した伝播特性４３も併記されている。図６に示すように、スピーカー２１を耳に密着させた場合と、スピーカー２１を耳から遠ざけた場合とで、伝播特性が変化することが分かる。
【００５０】
図７は、スピーカー２１を耳に密着させた場合における、補正係数の決定方法を説明するための図である。図７において、携帯電話装置１の内部にはスピーカー２１が内蔵されおり、スピーカー２１の音を外に出すために、携帯電話装置１には開放穴２１ａが設けられている。ここで、実施の形態１でも説明したように、開放穴２１ａは、スピーカー２１の構成要素とする。
【００５１】
図７において、スピーカー２１（開放穴２１ａ）には、耳モデル３３の部分３４が押し付けられている。耳モデル３３はシリコン材等で製作される。図７に示すように、携帯電話装置１と耳モデル３３との間には、閉じた空間が形成されている。また、耳モデル３３の外耳道３５の内部に、聴取位置２５ｃが存する。
【００５２】
聴取位置２５ｃにおいて、補正前の伝達特性を測定する。第一の伝達特性は、スピーカー２１に起因した第一の音響特性（スピーカー２１自体の音響特性Ｅ１、開放穴２１ａの影響による音響特性Ｅ３）、携帯電話装置１に起因した第二の音響特性（携帯電話装置１の構造による音響特性Ｅ２）、およびスピーカー２１から聴取位置２５ｃまでの距離での音響特性Ｅ６を含んでいる（図７）。当該伝播特性の逆特性を、補正係数Ｈ３と決定する。当該記載から分かるように、上記補正係数Ｈ３は、スピーカー２１から耳モデル３３内部の空間を隔てた聴取位置２５ｃでの音響特性Ｅ６を含む伝達特性から決定される係数である。換言すれば、補正係数Ｈ３は、スピーカー２１をユーザの耳に接触させたときの音響特性を含む伝達特性から決定される係数である。
【００５３】
当該決定された補正係数Ｈ３を、他の複数の補正係数と共に記憶部４６に記憶する。ここで、図５において、第一の補正係数Ｈ１の代わりに当該補正係数Ｈ３を、記憶部４６に記憶してもよい。
【００５４】
たとえば、記憶部４６に当該補正係数Ｈ３が記憶されている場合において、スピーカー２１がユーザの耳に接触したとする。当該ケースでは、非巡回型デジタルフィルター１８は、複数の補正係数の中から補正係数Ｈ３を選択し、当該補正係数Ｈ３に基づいて入力デジタル信号を補正する。
【００５５】
以上のように、本実施の形態に係る携帯電話装置１では、非巡回型デジタルフィルター１８は、補正係数Ｈ３を少なくとも記憶している。
【００５６】
したがって、耳にスピーカー２１（開放穴２１ａ）が密着しているときに、非巡回型デジタルフィルター１８が補正係数Ｈ３を選択し、当該補正係数Ｈ３に基づいて入力デジタル信号を補正することにより、携帯電話装置１を耳に密着させて使用したとしても、スピーカー２１からは最適な音質の音声が出力される。
【００５７】
＜実施の形態３＞
図８は、本実施の形態に係る携帯電話装置の構成および動作を説明するためのブロック図である。なお、非巡回型デジタルフィルター１８の内部は、第一の補正係数Ｈ１または第二の補正係数Ｈ２を用いた補正が行われる機能を概念的に図示している。つまり、非巡回型デジタルフィルター１８の内部には、実施の形態１で説明した第一の補正係数Ｈ１および第二の補正係数Ｈ２が記憶されている。そして、当該非巡回型デジタルフィルター１８の内部では、何れかの補正係数Ｈ１，Ｈ２を用いた入力デジタル信号の補正が実施される。
【００５８】
本実施の形態に係る携帯電話装置では、図８に示すように、モード選択スイッチ３８をさらに備えている。当該モード選択スイッチ３８は、たとえば携帯電話装置の筐体面上に配設され、ユーザは外部から当該モード選択スイッチ３８の操作が可能である。モード選択スイッチ３８では、たとえば、（１）通常モード、（２）マナーモード、（３）自宅モードのモード設定を選択できる。
【００５９】
また、本実施の形態に係る携帯電話装置では、図８に示すように、スイッチ３９ａ，３９ｂをさらに備えている。スイッチ３９ａは、デコーダー７と非巡回型デジタルフィルター１８との間に配設されている。他方、スイッチ３９ｂは、オーディオデコーダー１５と非巡回型デジタルフィルター１８との間に配設されている。各スイッチ３９ａ，３９ｂは、上記モード選択スイッチ３８に対して施された操作に応じて、接続先が切り替わる。そして、非巡回型デジタルフィルター１８では、モード選択スイッチ３８に対する操作に応じて、第一の補正係数Ｈ１に基づく補正または第二の補正係数Ｈ２に基づく補正が行われる。
【００６０】
以下、本実施の形態に係る携帯電話装置の動作について詳細に説明する。
【００６１】
モード選択スイッチ３８を操作して（１）通常モードを指定した場合には、実施の形態１で説明した補正が行われる。
【００６２】
つまり、モード選択スイッチ３８の上記操作に連動して、スイッチ３９ａの切替端は端子ｔ４と接続し、スイッチ３９ｂの切替端は端子ｔ１と接続する。当該スイッチ３９ａ，３９ｂの切替により、通常モードが選択された場合には、非巡回型デジタルフィルター１８の内部において次の補正係数の選択が実施される。通話音から成る入力デジタル信号の入力に対しては、非巡回型デジタルフィルター１８は、第一の補正係数Ｈ１を選択し、当該第一の補正係数Ｈ１に基づいて入力デジタル信号（通話音）を補正する。これに対して、所定のコンテンツの再生音から成る入力デジタル信号の入力に対しては、非巡回型デジタルフィルター１８は、第二の補正係数Ｈ２を選択し、当該第二の補正係数Ｈ２に基づいて入力デジタル信号（再生音）を補正する。
【００６３】
よって、通常モードが選択された場合において耳の近くで通話音を聴くと、第一の補正係数Ｈ１を用いて最適な音質に補正された通話音を、ユーザは聴き取ることができる。また、通常モードが選択された場合において耳から遠ざけて再生音を聴くと、第二の補正係数Ｈ２を用いて最適な音質に補正された再生音を、ユーザは聴き取ることができる。
【００６４】
モード選択スイッチ３８を操作して（２）マナーモードを指定した場合には、常に第一の補正係数Ｈ１を用いた補正が実施される。
【００６５】
つまり、モード選択スイッチ３８の上記操作に連動して、スイッチ３９ａの切替端は端子ｔ４と接続し、スイッチ３９ｂの切替端は端子ｔ２と接続する。当該スイッチ３９ａ，３９ｂの切替により、マナーモードが選択された場合には、非巡回型デジタルフィルター１８の内部において次の補正係数の選択が実施される。全ての入力デジタル信号（通話音および再生音）に対して、非巡回型デジタルフィルター１８は、常に、第一の補正係数Ｈ１を選択し、当該第一の補正係数Ｈ１に基づいて入力デジタル信号を補正する。換言すると、非巡回型デジタルフィルター１８に入力されてくる全ての入力デジタル信号に対して、当該非巡回型デジタルフィルター１８は、スピーカー２１に近接して音声を聴いた場合に最良の音質となるような補正を実施する。
【００６６】
マナーモード選択時には、ユーザは、耳にスピーカー２１を近づけ通話音・再生音を聴くことが想定される。したがって、マナーモードが選択された場合には、第一の補正係数Ｈ１を用いて最適な音質に補正された通話音・再生音を、ユーザは聴き取ることができる。
【００６７】
モード選択スイッチ３８を操作して（３）自宅モードを指定した場合には、常に第二の補正係数Ｈ２を用いた補正が実施される。
【００６８】
つまり、モード選択スイッチ３８の上記操作に連動して、スイッチ３９ａの切替端は端子ｔ３と接続し、スイッチ３９ｂの切替端は端子ｔ１と接続する。当該スイッチ３９ａ，３９ｂの切替により、自宅モードが選択された場合には、非巡回型デジタルフィルター１８の内部において次の補正係数の選択が実施される。全ての入力デジタル信号（通話音および再生音）に対して、非巡回型デジタルフィルター１８は、常に、第二の補正係数Ｈ２を選択し、当該第二の補正係数Ｈ２に基づいて入力デジタル信号を補正する。換言すると、非巡回型デジタルフィルター１８に入力されてくる全ての入力デジタル信号に対して、当該非巡回型デジタルフィルター１８は、スピーカー２１を遠ざけて音声を聴いた場合に最良の音質となるような補正を実施する。
【００６９】
自宅モード選択時には、ユーザは、ハンズフリー機能により通話音を聴くことが想定され、ユーザから離れた位置から音楽等の再生音を聴くことが想定される。したがって、自宅モードが選択された場合には、第二の補正係数Ｈ２を用いて最適な音質に補正された通話音・再生音を、ユーザは聴き取ることができる。
【００７０】
以上のように、本実施の形態に係る携帯電話装置は、外部からの操作が可能なモード選択スイッチ３８をさらに備えている。そして、非巡回型デジタルフィルター１８は、当該モード選択スイッチ３８に対する操作に応じて、第一の補正係数Ｈ１に基づく補正または第二の補正係数Ｈ２に基づく補正を行っている。
【００７１】
したがって、ユーザの当該携帯電話装置の使用状況に応じて、ユーザ自身が、適切な補正係数を用いた補正を実行することを選択できる。
【００７２】
なお、ユーザが耳に携帯電話装置を接触させて使用することが通例と判断するならば、本実施の形態において、上記第一の補正係数Ｈ１を、実施の形態２で説明した補正係数Ｈ３に置換することもできる。
【００７３】
＜実施の形態４＞
図９は、本実施の形態に係る携帯電話装置の構成および動作を説明するためのブロック図である。なお、非巡回型デジタルフィルター１８の内部は、第一の補正係数Ｈ１または第二の補正係数Ｈ２を用いた補正が行われる機能を概念的に図示している。つまり、非巡回型デジタルフィルター１８の内部には、実施の形態１で説明した第一の補正係数Ｈ１および第二の補正係数Ｈ２が記憶されている。そして、当該非巡回型デジタルフィルター１８の内部では、何れかの補正係数Ｈ１，Ｈ２を用いた入力デジタル信号の補正が実施される。
【００７４】
本実施の形態に係る携帯電話装置では、図９に示すように、接触センサー４０をさらに備えている。当該接触センサー４０は、携帯電話装置の筐体に配設されており、当該携帯電話装置がユーザの手により捕まれた（接触したか）どうかの判別（感知）ができる。つまり、接触センサー４０は外部からの携帯電話装置への接触状態を感知することができる。たとえば、ユーザの皮膚との接触があった場合に、当該接触センサー４０には微弱な電流が流れる。当該電流を検出することで、ユーザによる携帯電話装置への接触の有無を検出できる。
【００７５】
また、本実施の形態に係る携帯電話装置では、図９に示すように、スイッチ３９ｃをさらに備えている。スイッチ３９ｃは、オーディオデコーダー１５と非巡回型デジタルフィルター１８との間に配設されている。スイッチ３９ｃは、上記接触センサー４０からの感知結果に応じて、接続先が切り替わる。そして、非巡回型デジタルフィルター１８では、接触センサー４０の感知結果に応じて、第一の補正係数Ｈ１に基づく補正または第二の補正係数Ｈ２に基づく補正を行う。
【００７６】
以下、本実施の形態に係る携帯電話装置の動作について詳細に説明する。
【００７７】
接触センサー４０がユーザによる携帯電話装置の接触を感知した場合には、全ての入力デジタル信号（通話音および再生音）は、第一の補正係数Ｈ１で補正される。
【００７８】
つまり、接触センサー４０の上記感知結果に連動して、スイッチ３９ｃの切替端は端子ｔ６と接続する。接触センサー４０がユーザによる携帯電話装置の接触を感知した場合には、当該スイッチ３９ｃの切替により、非巡回型デジタルフィルター１８の内部において次の補正係数の選択等が実施される。全ての入力デジタル信号（通話音および再生音）に対して、非巡回型デジタルフィルター１８は、常に、第一の補正係数Ｈ１を選択し、当該第一の補正係数Ｈ１に基づいて入力デジタル信号を補正する。換言すると、非巡回型デジタルフィルター１８に入力されてくる全ての入力デジタル信号に対して、当該非巡回型デジタルフィルター１８は、スピーカー２１に近接して音声を聴いた場合に最良の音質となるような補正を実施する。
【００７９】
ユーザが携帯電話装置に触れている場合には、ユーザは、耳にスピーカー２１を近づけ通話音・再生音を聴くことが想定される。したがって、接触センサー４０の「接触」感知結果の場合には、第一の補正係数Ｈ１を用いて最適な音質に補正された通話音・再生音を、ユーザは聴き取ることができる。
【００８０】
接触センサー４０がユーザによる携帯電話装置の接触を感知しない場合には、オーディオデコーダー１５からの入力デジタル信号（再生音）に対しては、補正係数Ｈ２を用いた補正を行う。他方、デコーダー７からの入力デジタル信号（通話音）に対しては、補正係数Ｈ１を用いた補正を行う。
【００８１】
つまり、接触センサー４０の上記感知結果に連動して、スイッチ３９ｃの切替端は端子ｔ５と接続する。接触センサー４０がユーザによる携帯電話装置の接触を感知しない場合には、当該スイッチ３９ｃの切替により、非巡回型デジタルフィルター１８の内部において次の補正係数の選択等が実施される。オーディオデコーダー１５からの入力デジタル信号（再生音）に対しては、非巡回型デジタルフィルター１８は第二の補正係数Ｈ２を選択し、当該第二の補正係数Ｈ２に基づいて入力デジタル信号（再生音）を補正する。これに対して、デコーダー７からの入力デジタル信号（通話音）に対しては、非巡回型デジタルフィルター１８は第一の補正係数Ｈ１を選択し、当該第一の補正係数Ｈ１に基づいて入力デジタル信号（通話音）を補正する。換言すると、非巡回型デジタルフィルター１８に入力されてくる入力デジタル信号（再生音）に対しては、当該非巡回型デジタルフィルター１８は、スピーカー２１を遠ざけて音声を聴いた場合に最良の音質となるような補正を実施する。
【００８２】
なお、図９の構成からも分かるように、デコーダー７からの入力デジタル信号（通話音）に対しては、接触センサー４０の感知結果に依らず、常に補正係数Ｈ１が選択され、当該補正係数Ｈ１を用いた補正が実施される。
【００８３】
ユーザが携帯電話装置に触れていない場合には、ユーザは、ユーザから離れた位置から音楽等の再生音を聴くことが想定される。したがって、接触センサー４０の「非接触」感知結果の場合には、第二の補正係数Ｈ２を用いて最適な音質に補正された再生音を、ユーザは聴き取ることができる。
【００８４】
以上のように、本実施の形態に係る携帯電話装置は、外部からの携帯電話装置への接触を感知する接触センサー４０をさらに備えている。そして、非巡回型デジタルフィルター１８は、当該接触センサー４０の感知結果に応じて、第一の補正係数Ｈ１に基づく補正または第二の補正係数に基づく補正Ｈ２を行っている。
【００８５】
したがって、ユーザよる当該携帯電話装置への接触状況に応じて、自動的に、再生音に対する適切な補正係数を用いた補正を実行することを選択できる。
【００８６】
なお、ユーザが耳に携帯電話装置を接触させて使用することが通例と判断するならば、本実施の形態において、上記第一の補正係数Ｈ１を、実施の形態２で説明した補正係数Ｈ３に置換することもできる。
【００８７】
また、接触センサー４０は、携帯電話装置を手にして耳に押し当てた（耳に接触した）状態を感知すればよい。したがって、当該接触を感知する接触センサーとして、光センサー、温度センサー、および赤外線センサーなどを採用することもできる。
【００８８】
＜実施の形態５＞
図１０は、本実施の形態に係る携帯電話装置の構成および動作を説明するためのブロック図である。なお、非巡回型デジタルフィルター１８の内部は、第一の補正係数Ｈ１または第二の補正係数Ｈ２を用いた補正が行われる機能を概念的に図示している。つまり、非巡回型デジタルフィルター１８の内部には、実施の形態１で説明した第一の補正係数Ｈ１および第二の補正係数Ｈ２が記憶されている。そして、当該非巡回型デジタルフィルター１８の内部では、何れかの補正係数Ｈ１，Ｈ２を用いた入力デジタル信号の補正が実施される。
【００８９】
本実施の形態に係る携帯電話装置では、図１０に示すように、接触センサー４０をさらに備えている。当該接触センサー４０は、携帯電話装置の筐体に配設されており、当該携帯電話装置がユーザの手により捕まれた（接触したか）どうかの判別（感知）ができる。つまり、接触センサー４０は外部からの携帯電話装置への接触状態を感知することができる。たとえば、ユーザの皮膚との接触があった場合に、当該接触センサー４０には微弱な電流が流れる。当該電流を検出することで、ユーザによる携帯電話装置への接触の有無を検出できる。
【００９０】
また、本実施の形態に係る携帯電話装置では、図１０に示すように、スイッチ３９ｃおよびスイッチ３９ｄをさらに備えている。スイッチ３９ｃは、オーディオデコーダー１５と非巡回型デジタルフィルター１８との間に配設されている。これに対して、スイッチ３９ｄは、デコーダー７と非巡回型デジタルフィルター１８との間に配設されている。各スイッチ３９ｃ，３９ｄは、上記接触センサー４０からの感知結果に応じて、接続先が切り替わる。そして、非巡回型デジタルフィルター１８では、接触センサー４０の感知結果に応じて、第一の補正係数Ｈ１に基づく補正または第二の補正係数Ｈ２に基づく補正を行う。
【００９１】
上記説明より分かるように、本実施の形態に係る携帯電話装置は、実施の形態４に係る携帯電話装置の構成に、接触センサー４０の感知結果に応じて切り替わるスイッチ３９ｄが追加されている。
【００９２】
以下、本実施の形態に係る携帯電話装置の動作について詳細に説明する。
【００９３】
接触センサー４０がユーザによる携帯電話装置の接触を感知した場合には、常に第一の補正係数Ｈ１を用いて補正する。
【００９４】
つまり、接触センサー４０の上記感知結果に連動して、スイッチ３９ｃの切替端は端子ｔ６と接続し、スイッチ３９ｄの切替端は端子ｔ８と接続する。接触センサー４０がユーザによる携帯電話装置の接触を感知した場合には、当該スイッチ３９ｃ，３９ｄの切替により、非巡回型デジタルフィルター１８の内部において次の補正係数の選択等が実施される。全ての入力デジタル信号（通話音および再生音）に対して、非巡回型デジタルフィルター１８は、常に、第一の補正係数Ｈ１を選択し、当該第一の補正係数Ｈ１に基づいて入力デジタル信号を補正する。換言すると、非巡回型デジタルフィルター１８に入力されてくる全ての入力デジタル信号に対して、当該非巡回型デジタルフィルター１８は、スピーカー２１に近接して音声を聴いた場合に最良の音質となるような補正を実施する。
【００９５】
ユーザが携帯電話装置に触れている場合には、ユーザは、耳にスピーカー２１を近づけ通話音・再生音を聴くことが想定される。したがって、接触センサー４０の「接触」感知結果の場合には、第一の補正係数Ｈ１を用いて最適な音質に補正された通話音・再生音を、ユーザは聴き取ることができる。
【００９６】
接触センサー４０がユーザによる携帯電話装置の接触を感知しない場合には、常に第二の補正係数Ｈ２を用いて補正する。
【００９７】
つまり、接触センサー４０の上記感知結果に連動して、スイッチ３９ｃの切替端は端子ｔ５と接続し、スイッチ３９ｄの切替端は端子ｔ７と接続する。接触センサー４０がユーザによる携帯電話装置の接触を感知しない場合には、当該スイッチ３９ｃ，３９ｄの切替により、非巡回型デジタルフィルター１８の内部において次の補正係数の選択等が実施される。全ての入力デジタル信号（通話音および再生音）に対して、非巡回型デジタルフィルター１８は、常に、第二の補正係数Ｈ２を選択し、当該第二の補正係数Ｈ２に基づいて入力デジタル信号を補正する。換言すると、非巡回型デジタルフィルター１８に入力されてくる全ての入力デジタル信号に対して、当該非巡回型デジタルフィルター１８は、スピーカー２１を遠ざけて音声を聴いた場合に最良の音質となるような補正を実施する。
【００９８】
ユーザが携帯電話装置に触れていない場合には、ユーザは、ハンズフリー機能により通話音を聴くことが想定され、ユーザから離れた位置から音楽等の再生音を聴くことが想定される。したがって、接触センサー４０の「非接触」感知結果の場合には、第二の補正係数Ｈ２を用いて最適な音質に補正された通話音・再生音を、ユーザは聴き取ることができる。
【００９９】
以上のように、本実施の形態に係る携帯電話装置は、外部からの携帯電話装置への接触を感知する接触センサー４０をさらに備えている。そして、非巡回型デジタルフィルター１８は、当該接触センサー４０の感知結果に応じて、第一の補正係数Ｈ１に基づく補正または第二の補正係数に基づく補正Ｈ２を行っている。
【０１００】
したがって、ユーザよる当該携帯電話装置への接触状況に応じて、自動的に、適切な補正係数を用いた補正を実行することを選択できる。
【０１０１】
なお、ユーザが耳に携帯電話装置を接触させて使用することが通例と判断するならば、本実施の形態において、上記第一の補正係数Ｈ１を、実施の形態２で説明した補正係数Ｈ３に置換することもできる。
【０１０２】
また、接触センサー４０は、携帯電話装置を手にして耳に押し当てた（耳に接触した）状態を感知すればよい。したがって、当該接触を感知する接触センサーとして、光センサー、温度センサー、および赤外線センサーなどを採用することもできる。
【図面の簡単な説明】
【０１０３】
【図１】実施の形態１に係る携帯電話装置の内部構成を示すブロック図である。
【図２】補正係数を用いた補正効果を説明するための図である。
【図３】非巡回型デジタルフィルターの内部構成を示す図である。
【図４】第一の補正係数および第二の補正係数を決定する方法を説明するための図である。
【図５】入力デジタル信号の種別に応じて一の補正係数が選択されることを示す図である。
【図６】スピーカーを耳に接触させたときの伝達特性と、スピーカーに耳を接触させないときの伝達特性とを示す図である。
【図７】スピーカーを耳に接触させたとき用いられる、補正係数を決定する方法を説明する図である。
【図８】実施の形態３に係る携帯電話装置の動作を説明するための図である。
【図９】実施の形態４に係る携帯電話装置の動作を説明するための図である。
【図１０】実施の形態５に係る携帯電話装置の動作を説明するための図である。
【符号の説明】
【０１０４】
１  携帯電話装置、７  デコーダー、１５  オーディオデコーダー、１８  非巡回型デジタルフィルター、１９  Ｄ／Ａ変換部、２０  増幅器、２１  スピーカー、２１ａ  開放穴、２５ａ，２５ｂ，２５ｃ  聴取位置、３３  耳モデル、３５  外耳道、３８  モード選択スイッチ、３９ａ，３９ｂ，３９ｃ，３９ｄ  スイッチ、４０  接触センサー、４５  適応型ＦＩＲデジタルフィルター、４６  記憶部、４７  入力デジタル信号、４８  出力デジタル信号、Ｈ１  第一の補正係数、Ｈ２  第二の補正係数、Ｈ３  補正係数。
【図１】
2009049620.tif 000003
【図２】
2009049620.tif 000004
【図３】
2009049620.tif 000005
【図４】
2009049620.tif 000006
【図５】
2009049620.tif 000007
【図６】
2009049620.tif 000008
【図７】
2009049620.tif 000009
【図８】
2009049620.tif 000010
【図９】
2009049620.tif 000011
【図１０】
2009049620.tif 000012